(57)【要約】【課題】製造コストが安価で、かつ着用時の見栄えを損なわない新規な老眼鏡の提供。【解決手段】環状のリム１０を一対有する老眼鏡であって、前記各リム１０，１０内の下方領域に老視用のレンズ２０，２０を設ける。これによって、遠くを見る際にレンズ部分をずり下げて上目使いになるような仕草がなくなるため見栄えを損なうこともない。また、リム１０内の下側領域にのみ老視用レンズ２０を設けるだけであるため、一枚のレンズに老視用の部分と素通し用の部分などを一体的に形成する場合に比べて製造が容易となり、コストも安価となる。【選択図】図１
0003195964.tif 000002
【実用新案登録請求の範囲】
【請求項１】
環状のリムを一対有する老眼鏡であって、前記各リム内の下方領域に老視用のレンズを設けたことを特徴とする老眼鏡。
【請求項２】
前記老視用のレンズの高さが前記リム内の最大高さの半分以下であることを特徴とする請求項１に記載の老眼鏡。
【請求項３】
前記老視用のレンズの高さが前記リム内の最大高さの１／３であることを特徴とする請求項１に記載の老眼鏡。
【請求項４】
前記老視用のレンズが前記リムの内周に沿って形成された溝内に嵌合されていることを特徴とする請求項１乃至３のいずれかに記載の老眼鏡。
【請求項５】
前記老視用のレンズ縁のうち、露出している部分がＲ加工されていることを特徴とする請求項１乃至４のいずれかに記載の老眼鏡。
【請求項６】
前記各リムが変形可能であることを特徴とする請求項１乃至５のいずれかに記載の老眼鏡。
【考案の詳細な説明】
【技術分野】
【０００１】
本考案は、加齢に伴って生じてくる老視を補正するための老眼鏡に係り、特に車の運転作業等に適した老眼鏡に関する。
【背景技術】
【０００２】
従来の老眼鏡では視線を遠くから近くに移動させる度に装着する必要があるためその作業が面倒な上に、状況によっては使用が難しいという不便がある。例えばドライバーが運転中に運転席に設置されたカーナビのモニターや手元の地図などを一瞥する場合、安全運転上いちいち老眼鏡を装着するわけにはいかないため、モニターや地図上に表示された細かい文字や記号が見えにくいといった問題がある。
【０００３】
そのため、例えば以下の特許文献１乃至４などではメガネを上下にほぼ半分づつに分け、下側半分に老眼用レンズを入れ、上側半分に近視用レンズや素通し用のレンズを入れた老眼鏡等が提案されている。
【先行技術文献】
【特許文献】
【０００４】
【特許文献１】特開２０１２−９３６８７号公報
【特許文献２】特開２０１２−１５０４１７号公報
【特許文献３】実開昭５２−００１１４３号公報
【特許文献４】実開昭６２−０４９１２８号公報
【考案の概要】
【考案が解決しようとする課題】
【０００５】
しかしながら、前記特許文献１乃至４などで提案されているような老眼鏡では、一枚のレンズに老視または遠視用の部分と近視用または素通し用の部分を一体的に形成しなければならないため、製造が難しくコスト高になってしまう。また、眼鏡全体の重量も重くなってしまい、長時間の着用によっては鼻や耳が痛んでくることがある。
【０００６】
また、従来の老眼鏡では掛けた状態で遠くを見る際にはレンズ部分をずり下げた状態で上目使いになるため、その仕草が老けて見えてしまい、あまり見栄えが良いものではない。さらに、従来の眼鏡全般に云えることであるが、屋外から暖かい車内や室内に入った際の結露や、鍋やラーメンなどの暖かい物を食した際の湯気の付着によってレンズ全体が一気に曇って視界を遮ってしまうことがある。加えて手垢や埃などによってレンズが汚れる頻度が高く、その都度取り外して洗浄したり汚れを拭き取らなければならず、不便である。
【０００７】
そこで、本考案はこれらの課題を解決するために案出されたものであり、その主な目的は、製造コストが安価で、かつ着用時の見栄えを損なわない新規な老眼鏡を提供するものである。
【課題を解決するための手段】
【０００８】
前記目的を達成するために第１の考案は、環状のリムを一対有する老眼鏡であって、前記各リム内の下方領域に老視用のレンズを設けたことを特徴とする老眼鏡である。このような構成によれば、老視の人がリム内の上側領域のレンズのない素通し部分を利用することで遠くの景色を直接肉眼ではっきりとみることができる一方、リム内の下側領域の老視用レンズの部分を利用することで近くの手元領域をはっきりと見ることができる。これによって、従来の老眼鏡を着用した場合のように遠くを見る際にレンズ部分をずり下げて上目使いになるような仕草がなくなるため、見栄えを損なうこともない。
【０００９】
また、リム内の下側領域に老視用レンズを設けるだけであるため、一枚のレンズに老視または遠視用の部分と近視用または素通し用の部分などを一体的に形成する場合に比べて製造が容易となり、コストも安価となる。さらに、レンズ部分が小さくなるため、眼鏡全体の重量も大幅に軽減され、長時間の着用でも鼻や耳が痛くなることもない。
【００１０】
また、レンズがリム全体の一部領域であるため、結露や湯気の付着による曇りによって視界全体を遮ってしまうようなこともない。さらに、リムに占めるレンズ部分が小さいことから手垢や埃などによってレンズが汚れ難くなり、洗浄作業や汚れを拭き取る作業が楽になる。
【００１１】
第２の考案は、第１の考案において、前記老視用のレンズの高さが前記リム内の最大高さの半分以下であることを特徴とする老眼鏡である。このような構成によれば、リム内の視野のうち遠方用の裸眼視野と手元用のレンズを通した視野とがほぼ半分ずつとなるため、両方の視野をバランス良く確保することができる。
【００１２】
第３の考案は、第１の考案において、前記老視用のレンズの高さが前記リム内の最大高さの１／３であることを特徴とする老眼鏡である。このような構成によれば、遠方用の裸眼視野をリム内の視野全体の２／３程度確保できるため、例えば車の運転などのように遠方の視野を重視しつつ、ときどき手元の視野を一瞥するような作業に好適となる。
【００１３】
第４の考案は、第１乃至第３の考案において、前記老視用のレンズが前記リムの内周に沿って形成された溝内に嵌合されていることを特徴とする老眼鏡である。このような構成によれば、レンズをしっかりと取り付けることができるため、振動や衝撃が加わってもレンズがリムからずれたり外れ落ちたりすることがない。
【００１４】
第５の考案は、第１乃至第４の考案において、前記老視用のレンズ縁のうち、露出している部分がＲ加工されていることを特徴とする老眼鏡である。このような構成によれば、老視用のレンズ縁のうちの露出している部分に指を触れても怪我をすることがない。
【００１５】
第６の考案は、前記各リムが変形可能であることを特徴とする老眼鏡である。このような構成によれば、手で軽く力を加えてリムを変形させるだけでレンズを取り外すことができるため、レンズにひびが入ったり度が合わなくなった場合にはユーザ自ら簡単に新しいレンズに交換することができる。
【考案の効果】
【００１６】
本考案によれば、一枚のレンズに老視または遠視用の部分と近視用または素通し用の部分などを一体的に形成する場合に比べて製造が容易となり、コストが安価となる。また、遠くを見る際にレンズ部分をずり下げて上目使いになるような仕草がなくなるため、見栄えを損なうこともない。また、眼鏡全体の重量が大幅に軽減されるため、長時間の着用でも鼻や耳が痛くなることもなく、結露や湯気の付着による曇りによって視界全体を遮ってしまうこともない。さらに、手垢や埃などによってレンズが汚れ難くなり、洗浄作業や汚れを拭き取る作業が楽になる、等といった効果を発揮する。
【図面の簡単な説明】
【００１７】
【図１】本考案に係る老眼鏡１００の実施の一形態を示す斜視図である。
【図２】レンズ２０を外した状態を示す斜視図である。
【図３】リム１０における素通し領域Ｓとレンズ２０との関係を示す正面図である。
【図４】図２中Ａ部を示す部分拡大図である。
【図５】リム１０の溝３０にレンズ２０を嵌めた状態を示す部分拡大図である。
【図６】ユーザの視線方向とリム１０内のレンズ２０との関係を示す説明図である。
【考案を実施するための形態】
【００１８】
以下、本考案の実施の形態を添付図面を参照しながら説明する。図１は本考案に老眼鏡１００の実施の一形態を示したものである。図示するようにこの老眼鏡１００は、それぞれ一対のリム１０，１０をブリッジ１１で連結した構造となっている。また、このブリッジ１１近傍のリム１０，１０の内側にはそれぞれアーム状をしたクリングス１２，１２が設けられており、これら各クリングス１２，１２の先端にはノーズパット１３，１３が設けられている。
【００１９】
各リム１０，１０の外側にはヨロイ１４，１４が設けられており、これらヨロイ１４，１４には蝶番１５，１５を介してテンプル１６，１６が揺動自在に設けられている。そして、これら各テンプル１６，１６の先端には耳と当接する部分を保護するためのイヤーパット１７，１７が設けられている。
【００２０】
各リム１０，１０は横長の円環状に形成されており、プラスチックや硬質ゴム、金属あるいはべっ甲などの従来公知の材料から形成されている。そして、各リム１０，１０内の下側領域には、それぞれ老視用のレンズ２０，２０が設けられており、その上側領域は何もない素通し状態となっている。
【００２１】
この老視用のレンズ２０，２０は図２に示すように下側の縁部２０ａがリム１０の下側の縁（フレーム）と一致するように略円弧状に形成されているのに対し、上側の縁部２０ｂはリム１０内を水平に横断するようにほぼ直線状になっている。そして図３に示すようにこの老視用のレンズ２０，２０の高さｈは、リム１０内の最大高さＨの約１／３〜半分（１／２）程度となっている。従って、例えばリム１０内の高さＨが３６ｍｍである場合には、老視用のレンズ２０，２０の高さｈは、１２〜１８ｍｍ程度となっている。
【００２２】
なお、この老視用のレンズ２０，２０の高さｈは、使用目的によって適宜変更しても良い。例えばデスクワークのように手元を見る作業が多い場合には、老視用のレンズ２０，２０の高さｈをリム１０内の高さＨの半分程度としてその領域を増やし、反対に車の運転のように遠方を見る作業が多い場合には、老視用のレンズ２０，２０の高さｈをリム１０内の高さＨの半分程度としてその領域を増やすようにすれば良い。
【００２３】
この老視用のレンズ２０，２０は、従来と同様にプラスチックやガラスなどからなっており、図４および図５に示すように円弧状の下側縁部２０ａが各リム１０，１０の内周面に形成された溝３０に嵌め込まれようにして取り付けられている。すなわち、各リム１０，１０の内周面の側面から底面には、レンズ２０，２０の下側縁部の厚さとほぼ同じ幅の溝３０が連続して形成されており、その溝３０内にレンズ２０，２０の円弧状の下側縁部２０ａを嵌め込むことで各リム１０，１０の下側領域にしっかりと取り付けられるようになっている。
【００２４】
一方、この老視用のレンズ２０，２０の直線状の上側縁部２０ｂは、図５に示すようにＲ状に面取り加工が施されており、この露出している上側縁部２０ｂに指等が触れても安全な状態となっている。
【００２５】
このような構成をした本考案に係る老眼鏡１００にあっては、図３及び図６（Ａ）に示すように着用時において遠方を見る際には、視線を真っすぐ前方に向けることでリム１０内の上側領域のレンズ２０のない部分（素通し部分）Ｓを通して遠くの景色を直視肉眼ではっきりとみることができる。一方、手元付近を見る際には、図６（Ｂ）に示すようにそのまま視線を下方に降ろせば、リム１０内の下側領域の老視用レンズ２０の部分を通して近くの手元領域をはっきりと見ることができる。
【００２６】
これによって、特に車の運転のように主に遠方の視界を重視する作業中には、リム１０内の素通し領域を通して遠方の景色を直接見ることができると共に、そのまま頭を大きく動かすことなく視線を下方にずらすだけで運転席に設置されたカーナビのモニターや手元の地図等を老視用レンズ２０，２０を介して一瞥するだけでそれに表示されている文字や記号などをはっきりと見ることができる。
【００２７】
また、本や新聞を読んでいるときやデスクワーク等を行っている場合も、従来の老眼鏡を着用した場合のように遠くを見る際にレンズ部分をずり下げて上目使いになるような仕草がなくなるため、老けた印象を与えることなく見栄えを大きく損なうこともない。
【００２８】
また、リム１０内のレンズはその下側領域に設けられた老視用レンズ２０だけであるため、一枚のレンズに老視または遠視用の部分と近視用または素通し用の部分などを一体的に形成する場合に比べて製造が容易となり、コストも安価となる。さらに、リム１０全体に占めるレンズ部分が小さくなるため、リム１０が大きくなっても眼鏡全体の重量が大幅に軽減され、長時間の着用でも鼻や耳が痛くなることもない。
【００２９】
また、レンズ２０がリム１０全体の下側領域だけであるため、寒い屋外から室内に入ったときの結露や暖かい物を食しているときに付着する湯気等によってレンズ全体が一気に曇って視界全体を遮ってしまうようなこともない。さらに、リム１０に占めるレンズ部分が小さいことから手垢や埃などによってレンズが汚れ難くなり、仮に汚れても洗浄作業や汚れを拭き取る作業が楽になる。
【００３０】
また、レンズ２０がリム１０の内周に沿って形成された溝３０内に嵌合された状態で取り付けられているため、多少の振動や衝撃が加わってもレンズ２０がリム１０からずれたり外れ落ちたりすることがない。その一方、各リム１０は金属やプラスチックのような弾力性を有しある程度変形可能であるため、手で軽く力を加えてリム１０を横に広げるように変形させるだけでレンズ２０を溝３０から簡単に取り外すことができる。これにより、レンズ２０にひびが入ったり度が合わなくなった場合にはユーザ自ら簡単に新しいレンズ２０に交換することができる。
【００３１】
なお、本実施の形態では、老視用レンズ２０の露出している上側縁部２０ｂを直線上にした例で示したが、この上側縁部２０ｂを緩やかに上側または下側にカーブさせたものであっても良い。
【符号の説明】
【００３２】
１００…老眼鏡
１０…リム
１１…ブリッジ
１２…クリングス
１３…ノーズパット
１４…ヨロイ
１５…蝶番
１６…テンプル
１７…イヤーパット
２０…老視用レンズ（下側領域）
２０ａ…上側縁部
２０ｂ…下側縁部
３０…溝
Ｈ…リム１０内の最大高さ
ｈ…レンズ２０の最大高さ
Ｓ…素通し領域（上側領域）
【図１】
0003195964.tif 000003
【図２】
0003195964.tif 000004
【図３】
0003195964.tif 000005
【図４】
0003195964.tif 000006
【図５】
0003195964.tif 000007
【図６】
0003195964.tif 000008